(57)【要約】【課題】スロットマシンの設定変更ゴト行為を防止すること。【解決手段】スロットマシンの前面に、それぞれ左右両開きが可能な上扉及び下扉を設ける。上扉の奥に設定値を変更するときに操作される設定変更装置を配置する。下扉を左開きに全開し閉じると、上扉の右開きのロックが解除される。上扉は下扉を開いてからでないと開かない構成になっている。下扉を右開きしてから上扉を右開きすることにより、設定変更装置を露呈させることができる。【選択図】図８
2008237827.tif 000002
【特許請求の範囲】
【請求項１】
当りの当選確率を複数の中から選択する設定変更装置を収納する筐体を備え、前記筐体の前面が上下に分割された上扉及び下扉によって開閉され、前記上扉及び下扉のうち一方の扉の奥に前記設定変更装置が配された遊技機において、
前記一方の扉が閉じたことを検出する一方扉閉じ検出手段と、
前記一方の扉が閉じたことが検出されたときに前記一方の扉をロックするロック手段と、
他方の扉が全開したことを検出する他方扉全開検出手段と、
前記他方の扉が全開したことが検出されたときに前記一方の扉のロックを解除するロック解除手段とを備えたことを特徴とする遊技機。
【請求項２】
前記上扉及び下扉はそれぞれ左右の端部に設けた一対の軸で軸支されて左右両側から開閉可能であって、
前記ロック手段は、前記一方の扉の左開きをロックする左ロック機構と、前記一方の扉の右開きをロックする右ロック機構とを有し、
前記他方扉全開検出手段は、前記他方の扉が左開きで全開したことを検出する左全開検出センサと、前記他方の扉が右開きで全開したことを検出する右全開検出センサとを有し、
前記ロック解除手段は、前記他方の扉が左開きで全開したことが検出されたときに前記右ロック機構によるロックを解除し、一方、前記他方の扉が右開きで全開したことが検出されたときに前記左ロック機構によるロックを解除することを特徴とする請求項１記載の遊技機。
【請求項３】
前記左ロック機構と前記右ロック機構のうち、一方のロック機構のロック解除を許容し、他方のロック機構のロック解除を禁止するよう予め設定する設定手段を備えたことを特徴とする請求項２記載の遊技機。
【請求項４】
前記他方の扉が閉じたことを検出する他方扉閉じ検出手段と、
前記一方の扉が前記他方の扉以上に開くことを阻止するストッパとを備え、
前記ロック解除手段は、前記他方の扉が左開きで全開したことが検出されたことに加え、この後に前記他方の扉が閉じたことが検出されたときに、前記右ロック機構によるロックを解除し、一方、前記他方の扉が右開きで全開したことが検出されたことに加え、この後に前記他方の扉が閉じたことが検出されたときに、前記左ロック機構によるロックを解除することを特徴とする請求項２または３記載の遊技機。
【発明の詳細な説明】
【技術分野】
【０００１】
本発明は、当りの当選確率を複数の中から選択するときに操作される設定変更装置を備えた遊技機に関する。
【背景技術】
【０００２】
パチンコ店などの遊技場に設置して使用されるスロットマシンはパチスロ機と称され、メダルに一定の価値が与えられて、遊技を行って獲得したメダルを種々の景品に交換することができる。このようなスロットマシンでは、ハズレ及び複数種類の当選役の抽選確率が異なる複数の抽選テーブルの中から１つを選択して遊技に使用しており、選択される抽選テーブルに応じてメダルの払い出し確率が異なる。抽選テーブルには設定値が割り振られており、この設定値を変更することで抽選テーブルを切り替えることができる。
【０００３】
設定値の変更はスロットマシンの筐体内部に配された設定変更装置を操作して行うことができる。設定変更を行うときには、筐体の前面に設けられた前面扉に扉用キーを差し込んで施錠を外し、前面扉を開放して設定変更装置を露呈させた上で、この設定変更装置を所定の手順通りに操作する（例えば、特許文献１参照）。
【特許文献１】特開２００６−３４７１４号公報
【発明の開示】
【発明が解決しようとする課題】
【０００４】
従来では、前面扉の施錠を外すだけで前面扉の開放が可能であったため、例えば、不正に扉用キーを入手した者にとっては、前面扉を開放して設定変更装置を露呈させることは容易であり、不正な設定変更行為（いわゆる設定変更ゴト）が行いやすい状況にあった。
【０００５】
本発明は、上記事情を考慮してなされたものであり、設定変更ゴトの目的で設定変更装置が露呈されることを防ぐことができる遊技機を提供することを目的とする。
【課題を解決するための手段】
【０００６】
本発明は、当りの当選確率を複数の中から選択する設定変更装置を収納する筐体を備え、前記筐体の前面が上下に分割された上扉及び下扉によって開閉され、前記上扉及び下扉のうち一方の扉の奥に前記設定変更装置が配された遊技機に関し、前記一方の扉が閉じたことを検出する一方扉閉じ検出手段と、前記一方の扉が閉じたことが検出されたときに前記一方の扉をロックするロック手段と、他方の扉が全開したことを検出する他方扉全開検出手段と、前記他方の扉が全開したことが検出されたときに前記一方の扉のロックを解除するロック解除手段とを備えたことを特徴とする。
【０００７】
前記上扉及び下扉はそれぞれ左右の端部に設けた一対の軸で軸支されて左右両側から開閉可能であって、前記ロック手段は、前記一方の扉の左開きをロックする左ロック機構と、前記一方の扉の右開きをロックする右ロック機構とを有し、前記他方扉全開検出手段は、前記他方の扉が左開きで全開したことを検出する左全開検出センサと、前記他方の扉が右開きで全開したことを検出する右全開検出センサとを有し、前記ロック解除手段は、前記他方の扉が左開きで全開したことが検出されたときに前記右ロック機構によるロックを解除し、一方、前記他方の扉が右開きで全開したことが検出されたときに前記左ロック機構によるロックを解除することが好ましい。この場合、前記左ロック機構と前記右ロック機構のうち、一方のロック機構のロック解除を許容し、他方のロック機構のロック解除を禁止するよう予め設定する設定手段を備えることが好ましい。
【０００８】
前記他方の扉が閉じたことを検出する他方扉閉じ検出手段と、前記一方の扉が前記他方の扉以上に開くことを阻止するストッパとを備え、前記ロック解除手段は、前記他方の扉が左開きで全開したことが検出されたことに加え、この後に前記他方の扉が閉じたことが検出されたときに、前記右ロック機構によるロックを解除し、一方、前記他方の扉が右開きで全開したことが検出されたことに加え、この後に前記他方の扉が閉じたことが検出されたときに、前記左ロック機構によるロックを解除することが好ましい。
【発明の効果】
【０００９】
本発明の遊技機によれば、上扉及び下扉のうち設定変更装置が配されている側の扉である一方の扉のロックを解除するためには他方の扉を全開にする必要があるから、設定変更装置を露呈させるまでに必要な動作が周囲に目立つものとなり、設定変更ゴトを防止することができる。
【００１０】
他方の扉が左開きに全開したときに一方の扉を右開き可能にし、一方、他方の扉が右開きに全開したときに一方の扉を左開き可能にして、他方の扉と一方の扉とで互いに逆側が開くよう構成した場合には、他方の扉を開くときと一方の扉を開くときとで、遊技機の扉の前で左右に移動することが必要になり、設定変更装置を露呈させるまでに必要な動作がさらに周囲に目立つものとなる。
【００１１】
一方の扉の開き方向を左右のいずれかに限定した場合には、この設定を知らない者は一方の扉を開くことが難しくなるため、設定変更ゴトを防止することができる。
【００１２】
一方の扉が他方の扉以上に開くことを阻止するとともに、一方の扉のロックを解除する条件として、他方の扉の全開を検出し、かつ、この後に他方の扉の閉じを検出する構成にした場合には、第１に他方の扉を全開してから閉じる動作、第２に再度他方の扉を開く動作、第３に一方の扉を開く動作が必要になり、設定変更装置を露呈させるまでに必要な動作が増えて周囲に目立つものとなる。
【発明を実施するための最良の形態】
【００１３】
図１に示すように、スロットマシン１０は、前面扉１１と収納箱１２とからなる筐体１３を備えている。前面扉１１は、上下に分割されており、上扉（一方の扉）１４と下扉（他方の扉）１５とからなる。上扉１４及び下扉１５は、左右両側からそれぞれ開くことができる。以下では、左側から開くことを左開き、右側から開くことを右開きと称する。下扉１５の上端部には上扉１４を開くときに上扉１４の前面が突き当たるストッパ４９が設けられている。このストッパ４９により、上扉１４の開き角度が下扉１５の開き角度以上になることが阻止される構成、言い換えると、下扉１５が開かないと上扉１４が開かない構成になっている。
【００１４】
上扉１４には、透明板である表示窓１６が設けられている。表示窓１６からは、リールユニット１７の一部を構成する第１〜第３リール１８，１９，２０の一部を視認することができる。周知のように、各リール１８，１９，２０の外周には、複数種類の当選絵柄を含む絵柄が一定ピッチで配列され、１リールにつき３個の絵柄が、表示窓１６を通して観察することができる。
【００１５】
下扉１５には、メダルを投入するためのメダル投入口２２、スタートレバー２３、第１〜第３リール１８，１９，２０の回転をそれぞれ停止させるための第１〜第３ストップボタン２４，２５，２６、メダル受け皿２７、獲得したメダルを前記メダル受け皿２７に払い出す払い出し口２８、スピーカ２９などが設けられている。また、下扉１５には、下扉１５を左開きするときに扉用キーが差し込まれて回転操作されるキーシリンダ４５と、下扉１５を右開きするときに扉用キーが差し込まれて回転操作されるキーシリンダ４６とが設けられている。キーシリンダ４５，４６にそれぞれ差し込んだ扉用キーは開錠位置と施錠位置との間で回転させることができる。
【００１６】
メダル投入口２２に所定枚数のメダルを投入してスタートレバー２３を操作すると、第１〜第３リール１８，１９，２０が一斉に回転する。その後、第１〜第３ストップボタン２４，２５，２６を順番に操作することで第１〜第３リール１８，１９，２０の回転が停止する。このとき、リール毎に表示された絵柄を一個ずつ組み合わせてなる、例えば横３本斜め２本の合計５本の入賞有効ラインのうちのいずれかに、予め決められた絵柄が揃うことで、払い出し口２８からメダルが払い出される。
【００１７】
図２に示すように、収納箱１２は、その収納空間が仕切板３０によって上下に仕切られており、上側の収納空間は上扉１４を開放することで内部が露呈され、下側の収納空間は下扉１５を開くことで内部が露呈される。図示は省略しているが、上側の収納空間にはリールユニット１７などが収納され、また、下側の収納空間には払い出し口２８にメダルを払い出すホッパー装置３１（図７参照）などが収納されている。
【００１８】
収納箱１２の上側の収納空間には、設定変更装置３２が配置されている。設定変更装置３２の前面には設定キーが差し込まれるキーシリンダ３３と、変更ボタン３４とが設けられている。設定変更の操作は、設定キーをキーシリンダ３３に差し込んで、この設定キーをＯＦＦ位置からＯＮ位置に回転させることにより、遊技を行う遊技モードから、設定変更を行う設定変更モードに移行させることができる。設定変更モードでは、表示窓１６の下方に設けられた表示部３５（図１参照）に現時点での設定値が表示される。
【００１９】
変更ボタン３４は、設定値を変えるときに押圧操作される。詳細は後述するが、設定値には１〜６が用意されており、変更ボタン３４を押圧操作する毎に、・・・→１→２→３→４→５→６→１→・・・というように数値が変更される。なお、設定値を変更した後には、スタートレバー２３を操作して設定値を確定し、その後に、設定キーをＯＦＦ位置に回転して抜くことにより、新たに設定した設定値が有効になる。
【００２０】
上扉１４の裏面の左上部（前から見て）には裏面に対して垂直に延びる垂直板３８Ａが設けられ、この垂直板３８Ａには下方に延びる第１軸３９Ａが設けられている。この垂直板３８Ａ及び第１軸３９Ａと同様にして、上扉１４の裏面の右上部には垂直板３８Ｂ及び第２軸３９Ｂが、下扉１５の裏面の左上部には垂直板３８Ｃ及び第３軸３９Ｃが、下扉１５の裏面の右上部には垂直板３８Ｄ及び第４軸３９Ｄが設けられている。
【００２１】
収納箱１２の上側の収納空間の左端部には第１軸３９Ａを回転可能に保持する第１軸支機構（左ロック機構）４０Ａが、上側の収納空間の右端部には第２軸３９Ｂを回転可能に保持する第２軸支機構（右ロック機構）４０Ｂが、下側の収納空間の左端部には第３軸３９Ｃを回転可能に保持する第３軸支機構４０Ｃが、下側の収納空間の右端部には第４軸３９Ｄを回転可能に保持する第４軸支機構４０Ｄが設けられている。第１及び第３軸支機構４０Ａ，４０Ｃはそれぞれ左板３６に設けた図示しない支持部に取り付けられており、第２及び第４軸支機構４０Ｂ，４０Ｄはそれぞれ右板３７に設けた図示しない支持部に取り付けられている。
【００２２】
図３及び図４に示すように、各軸支機構４０Ａ〜４０Ｄは、互いに同じ構成であり、それぞれ、軸４１を中心にして先端（前端）を開閉させるグリッパ４２と、グリッパ４２を閉じ状態に付勢する引張バネ４３と、グリッパ４２を開閉させる駆動片４４とから構成される。
【００２３】
駆動片４４は前から見て略逆三角形の形状をした厚板であり、その左右の側面４４ａ，４４ｂをグリッパ４２に接触させている。駆動片４４は上下（紙面手前から奥）にスライド移動するように図示しないガイド部によりガイドされる。駆動片４４が下にスライド移動したときには、その左右の側面４４ａ，４４ｂがグリッパ４２を内側から押し、引張バネ４３の付勢力に抗してグリッパ４２は開き状態になり、一方、駆動片４４が上にスライド移動したときには、グリッパ４２は閉じ状態になる。
【００２４】
第１軸支機構４０Ａは駆動片４４を上下にスライド移動させる駆動機構４７を有し、この駆動機構４７は後述するＣＰＵ７１（図７参照）に駆動を制御されている。すなわち、ＣＰＵ７１によって、第１軸支機構４０Ａのグリッパ４２が第１軸３９Ａを保持するか否かが制御されている。また、第２軸支機構４０Ｂは駆動片４４を上下にスライド移動させる駆動機構４８を有し、この駆動機構４８は後述するＣＰＵ７１に駆動を制御されている。すなわち、ＣＰＵ７１によって、第２軸支機構４０Ｂのグリッパ４２が第２軸３９Ｂを保持するか否かが制御されている。
【００２５】
一方、第３軸支機構４０Ｃの駆動片４４は、図示しない連動機構を介してキーシリンダ４５に接続されており、キーシリンダ４５に差し込んだ扉用キーの回転操作に連動して上下にスライド移動する。扉用キーを開錠位置に回転操作したときに駆動片４４は下にスライド移動し、扉用キーを施錠位置に回転操作したときに駆動片４４は上にスライド移動する。すなわち、扉用キーの回転位置に応じて、グリッパ４２が第３軸３９Ｃを保持するか否かが決まる。第３軸支機構４０Ｃの駆動片４４がキーシリンダ４５の回転操作に連動するのと同様にして、第４軸支機構４０Ｄの駆動片４４はキーシリンダ４６の回転操作に連動する。
【００２６】
収納箱１２の右板３７の内面上部には、保持された第２軸３９Ｂを中心にして湾曲する湾曲面３７ａが形成されており、この湾曲面３７ａに、上扉１４の左開き角度を検出する第１角度センサ６０Ａが設けられている。第１角度センサ６０Ａは、前後に並べられた前側検出素子６１Ａ−１及び後側検出素子６１Ａ−２から構成されている。各検出素子６１Ａ−１，６１Ａ−２には、例えば出射した光が上扉１４に反射して戻ったときにオンになり戻らないときにオフになる光反射型検出素子が用いられる。上扉１４を左開きしたときには、上扉１４の右端部が湾曲面３７ａに沿って移動する。
【００２７】
図５に示すように、上扉１４が左開き方向で僅かに開いたときに前側検出素子６１Ａ−１がオン信号を出力し、図６に示すように、上扉１４が左開き方向で全開したときに後側検出素子６１Ａ−２がオン信号を出力する。第１角度センサ６０Ａの出力信号を［前側検出素子６１Ａ−１の出力信号：後側検出素子６１Ａ−２の出力信号］という形式で表現する場合、上扉１４が閉じ角度のとき［オフ：オフ］が出力（以下、この出力信号を閉じ信号と称する）され、上扉１４が中途角度のとき［オン：オフ］が出力（以下、この出力信号を中途開き信号と称する）され、上扉１４が全開角度のとき［オン：オン］が出力（以下、この出力信号を全開信号と称する）される。ここで、中途角度とは閉じ角度と最大の開き角度との間の角度を意味し、全開角度とは最大の開き角度を意味している。本実施形態では、閉じ角度は０°以上５°未満の角度に、中途角度は５°以上８５°未満の角度に、全開角度は８５°以上９０°以下の角度に設定しているが、これらの角度設定は任意でよい。
【００２８】
右板３７の内面上部に設けた湾曲面３７ａ及び第１角度センサ６０Ａと同様にして、左板３６の内面上部には湾曲部３６ａ及び第２角度センサ６０Ｂが設けられ（図３参照）、右板３７の内面下部には湾曲部３７ｂ及び第３角度センサ６０Ｃが設けられ（図４参照）、左板３６の内面下部には湾曲部３６ｂ及び第４角度センサ６０Ｄが設けられている（図４参照）。第２角度センサ６０Ｂは、前側検出素子６１Ｂ−１及び後側検出素子６１Ｂ−２から構成され、上扉１４の右開き角度を検出する。第３角度センサ６０Ｃは、前側検出素子６１Ｃ−１及び後側検出素子６１Ｃ−２から構成され、下扉１５の左開き角度を検出する。第４角度センサ６０Ｄは、前側検出素子６１Ｄ−１及び後側検出素子６１Ｄ−２から構成され、下扉１５の右開き角度を検出する。
【００２９】
第１及び第２角度センサ６０Ａ，６０Ｂが、上扉（一方扉）閉じ検出手段として機能し、第３及び第４角度センサ６０Ｃ，６０Ｄが、下扉（他方扉）閉じ検出手段として機能する。また、第３角度センサ６０Ｃは、下扉１５が左開きで全開したことを検出する左全開検出センサとして機能し、第４角度センサ６０Ｄは、下扉１５が右開きで全開したことを検出する右全開検出センサとして機能する。なお、各角度センサ６０Ａ〜６０Ｄには、ロータリエンコーダやポテンショメータなどの角度センサを用いてもよい。
【００３０】
図７に示すように、スロットマシン１０は、主制御基板７０を有し、この主制御基板７０によって各部が統括的に制御されている。主制御基板７０は、ＣＰＵ７１、メモリ７２、電子抽選部７３、当選役決定部７４を有する。メモリ７２のＲＯＭ領域には遊技プログラムなどが記憶されており、これらのプログラムがＣＰＵ７１に読み出されて実行される。
【００３１】
メダルセンサ７５は、メダル投入口２２から投入されたメダルを検出し、メダルの検出信号をＣＰＵ７１に入力する。ＣＰＵ７１では、メダルの検出信号に基づいてメダルの枚数を計数し、入賞有効ラインを有効化する本数を決定する。スタートスイッチセンサ７６は、スタートレバー２３が押下操作されることによってオンになり、そのオン信号を出力する。ＣＰＵ７１では、このオン信号を受けて、メモリ７２のＲＯＭ領域に記憶された遊技プログラムを読み出して遊技処理を開始する。
【００３２】
電子抽選部７３は、乱数発生器を備え、スタートレバー２３の押圧操作に応答して、乱数発生器で発生した乱数から１つの乱数を抽出する。抽選された乱数はメモリ７２のＲＡＭ領域に記憶されて当選役決定部７４で使用される。
【００３３】
当選役決定部７４は、第１〜第６抽選テーブルを有する。第１〜第６抽選テーブルは、当選役（当り）の当選確率が互いに異なるように各当選役に対する乱数の振り分けが異なっている。第１抽選テーブルが最もペイアウト率が低く、第２、第３、第４、第５、第６抽選テーブルの順にペイアウト率が高くなる。上述したように設定値には１〜６が用意されており、設定値１が第１抽選テーブルに、設定値２が第２抽選テーブルに、設定値３が第３抽選テーブルに、設定値４が第４抽選テーブルに、設定値５が第５抽選テーブルに、設定値６が第６抽選テーブルに対応している。
【００３４】
当選役決定部７４では、メモリ７２のＲＡＭ領域に記憶された１の乱数値と、設定変更装置３２で設定された設定値に応じて選択した抽選テーブルを用いて当選役抽選を行う。
【００３５】
３個のストップボタン２４，２５，２６は、リールユニット１７の第１〜第３リール１８，１９，２０の回転を停止させるためのボタンであり、操作されることでそれぞれＣＰＵ７１に停止信号を送る。ＣＰＵ７１は、停止信号を受けることに応答して、当選役抽選の抽選結果に対応した絵柄となるように、各リール１８，１９，２０の停止を個別に制御する。
【００３６】
ＣＰＵ７１には、第１〜第４角度センサ６０Ａ，６０Ｂ，６０Ｃ，６０Ｄと、ロック制御部８２と、ロック設定記憶部８３と、第１及び第２軸支機構４０Ａ，４０Ｂとが接続されている。各角度センサ６０Ａ〜６０Ｄが出力した信号はＣＰＵ７１を介してロック制御部８２へと送られ、ロック制御部８２ではこれらの出力信号を監視している。
【００３７】
ロック制御部８２は、第１角度センサ６０Ａの出力信号が中途開き信号から閉じ信号に切り替わったときに、ＣＰＵ７１に上扉左ロック信号を送る。ＣＰＵ７１は、この上扉左ロック信号を受けて、第１軸３９Ａを保持（ロック）するように第１軸支機構４０Ａを制御する。また、ロック制御部８２は、第２角度センサ６０Ｂの出力信号が中途開き信号から閉じ信号に切り替わったときに、ＣＰＵ７１に上扉右ロック信号を送る。ＣＰＵ７１は、この上扉右ロック信号を受けて、第２軸３９Ｂを保持（ロック）するように第２軸支機構４０Ｂを制御する。
【００３８】
また、ロック制御部８２は、第３角度センサ６０Ｃの出力信号が全開信号から中途開き信号を経て閉じ信号に切り替わったときに、ＣＰＵ７１に上扉右ロック解除信号を送る。ＣＰＵ７１は、この上扉右ロック解除信号を受けて、第２軸３９Ｂを保持解除（ロック解除）するように第２軸支機構４０Ｂを制御する。また、第４角度センサ６０Ｄの出力信号が全開信号から中途開き信号を経て閉じ信号に切り替わったときに、ＣＰＵ７１に上扉左ロック解除信号を送る。ＣＰＵ７１は、この上扉左ロック解除信号を受けて、第１軸３９Ａを保持解除（ロック解除）するように第１軸支機構４０Ａを制御する。ロック制御部８２がロック解除手段として機能する。
【００３９】
本実施形態では、第１軸支機構４０Ａ及び第２軸支機構４０Ｂのうち、一方の軸支機構の保持解除（ロック解除）を強制的に禁止しており、ロック設定記憶部８３には、いずれの軸支機構が保持解除禁止に設定されているかが記憶されている。例えば、第１軸支機構４０Ａの保持解除は禁止、第２軸支機構４０Ｂの保持解除は許容などと記憶されている。ＣＰＵ７１は、上扉右ロック解除信号及び上扉左ロック解除信号を受けたときに、ロック設定記憶部８３を参照し、対応する軸支機構が保持解除禁止に設定されていた場合には保持解除動作を行わない。ロック設定記憶部８３は書換え可能であり、例えば電波で書き込みを行う書き込み装置によって書き換えることができる。なお、ロック設定記憶部８３をチップ状に形成し、チップを交換して条件を変更する構成であってもよい。ロック設定記憶部８３が設定手段として機能する。
【００４０】
ＣＰＵ７１は、キーシリンダ３３に設定キーが差し込まれて、この設定キーがＯＦＦ位置からＯＮ位置に回転して設定キースイッチ８１がオンになったときに、変更ボタン３４の操作を有効化する。
【００４１】
ホッパー装置３１は、ＣＰＵ７１に駆動を制御されており、当選役に応じたメダルを払い出す。メモリ７２のＲＯＭ領域には当選役の種類とメダルの配当枚数とを対応付けた配当テーブルが記憶されており、ＣＰＵ７１ではメモリ７２のＲＯＭ領域の配当テーブルを参照して、ホッパー装置３１の駆動を制御する。
【００４２】
上記構成による作用について説明する。遊技中には、上扉１４及び下扉１５は閉じられており、第１〜第４軸支機構４０Ａ〜４０Ｄはそれぞれ第１〜第４軸３９Ａ〜３９Ｄを保持している。第１〜第４角度センサ６０Ａ〜６０Ｄは全て閉じ信号を出力している。
【００４３】
以下では、図８のフローチャートを用いて、上扉１４を右開きして設定変更装置３２を露呈させて設定変更を行う場合で説明する。スロットマシン１０の前面扉１１の左前に移動して、キーシリンダ４５を開錠すると、第３軸３９Ｃが保持を解除されて下扉１５が左開き可能になる。下扉１５を左開きで全開してから閉じたときには、ロック制御部８２が上扉右ロック解除信号を出力し、ＣＰＵ７１はこの信号を受けてロック設定記憶部８３を参照し、第２軸支機構４０Ｂが保持解除禁止に設定されていない場合には、第２軸支機構４０Ｂを制御して第２軸３９Ｂの保持を解除し、一方、第２軸支機構４０Ｂが保持解除禁止に設定されていた場合には、第２軸３９Ｂの保持を解除しない（ここで、スピーカ２９から警告音を発する構成にしてもよい）。
【００４４】
第２軸３９Ｂの保持が解除されると、上扉１４の右開きが可能になる。上扉１４はストッパ４９によって下扉１５以上には開くことが出来ない構成になっているため、下扉１５を一旦閉じてキーシリンダ４５を施錠してから、前面扉１１の右前に移動してキーシリンダ４６を開錠して下扉１５を右開きし、この後に、上扉１４を右開きして設定変更装置３２を露呈させる。
【００４５】
設定変更装置３２のキーシリンダ３３に設定キーを差し込んで設定キーをＯＦＦ位置からＯＮ位置まで回転操作すると設定キースイッチ８１がオンになり、スロットマシン１０のモードが遊技モードから設定変更モードに移行する。変更ボタン３４を押圧操作して設定値を変更した後、スタートレバー２３を押下操作すると設定値が確定し、さらに設定キーをＯＮ位置からＯＦＦ位置に回転操作すると設定値が有効になる。
【００４６】
設定値を有効にした後、上扉１４を閉じると、ロック制御部８２が上扉右ロック信号を出力し、ＣＰＵ７１はこの信号を受けて第２軸支機構４０Ｂを制御して第２軸３９Ｂを保持（ロック）する。第２軸３９Ｂが保持されると、上扉１４の右開きが不能になる。この後、下扉１５を閉じてキーシリンダ４６を施錠する。
【００４７】
本発明のスロットマシン１０によれば、上扉１４のロックを解除するためには下扉１５を全開にして閉じる必要があることから、上扉１４を開いて設定変更装置３２を露呈させるまでに必要な動作が周囲に目立つものとなり、設定変更ゴトを防止することができる。また、下扉１５と上扉１４とで互いに逆側が開くよう構成したことから、スロットマシン１０の前で左右に移動することが必要になり、この移動動作は周囲に目立つものとなる。また、上扉１４の開き方向を左右のいずれかに限定したため、この設定を知らない者にとっては上扉１４を開くことが難しくなる。
【００４８】
なお、上記実施形態では、下扉１５が全開してからさらに閉じたときに上扉１４のロックが解除したが、下扉１５が全開したときに上扉１４のロックが解除する構成であってもよい。
【００４９】
上記実施形態では、上扉１４の奥に設定変更装置３２を配したが、下扉１５の奥に配してもよい。この場合には、下扉１５が閉じたときに自動でロックするよう構成するとともに、上扉１４が全開して閉じたときに下扉１５のロックが解除されるよう構成する。
【００５０】
上記実施形態では、上扉１４及び下扉１５は共に左開き及び右開きが可能であったが、例えば、上扉１４及び下扉１５が共に右開きだけが可能な通常のスロットマシンにも本発明を適用することが可能であり、この場合には、下扉１５を右開きで全開して閉じたときに、上扉１４のロックを解除して右開きが可能になるよう構成する。
【００５１】
上記実施形態では、第１軸支機構４０Ａ及び第２軸支機構４０Ｂのうち一方の軸支機構のロック解除を許容し他方の軸支機構のロック解除は禁止したが、両方の軸支機構のロック解除を許容してもよい。
【００５２】
上記実施形態では、下扉１５が開かないと上扉１４が開かない構成にするために、ストッパ４９を設けたが、この替わりに次に示す構成にしてもよい。すなわち、下扉１５の上端が上扉１４の下端よりも高く位置するとともに、下扉１５の上端部が上扉１４の下端部の前方に位置するように、上扉１４及び下扉１５を収納箱１２に取り付ける。この場合には、下扉１５の上端部がストッパとして機能する。
【００５３】
上記実施形態では、スロットマシン１０を用いて説明したが、パチンコ機など、設定変更装置を有する他の遊技機にも本発明を適用することができる。
【図面の簡単な説明】
【００５４】
【図１】スロットマシンの外観斜視図である。
【図２】収納箱及び第１〜第４軸支機構を示す外観斜視図である。
【図３】図１のIII‐III線に沿って切断したときのスロットマシンの要部断面図である。
【図４】図１のIV‐IV線に沿って切断したときのスロットマシンの要部断面図である。
【図５】上扉が右開き方向で中途開きしたことを検出する第１角度センサを示す説明図である。
【図６】上扉が右開き方向で全開したことを検出する第１角度センサを示す説明図である。
【図７】スロットマシンの電気的構成を示すブロック図である。
【図８】設定変更動作の流れを示すフローチャートである。
【符号の説明】
【００５５】
１０  スロットマシン（遊技機）
１３  筐体
１４  上扉（一方の扉）
１５  下扉（他方の扉）
３２  設定変更装置
４０Ａ  第１軸支機構（左ロック機構）
４０Ｂ  第２軸支機構（右ロック機構）
４９  ストッパ
６０Ａ，６０Ｂ，６０Ｃ，６０Ｄ  角度センサ
８２  ロック制御部（ロック解除手段）
８３  ロック設定記憶部（設定手段）
【図１】
2008237827.tif 000003
【図２】
2008237827.tif 000004
【図３】
2008237827.tif 000005
【図４】
2008237827.tif 000006
【図５】
2008237827.tif 000007
【図６】
2008237827.tif 000008
【図７】
2008237827.tif 000009
【図８】
2008237827.tif 000010